(57)【要約】  【課題】  パワーコンディショナ装置内部の制御部の消費電力が非常に大きい。  【解決手段】  交流系統１０２と連系接続し、ガスエンジン発電機１０１からの電力を交流系統に出力する機能を備え、所定タイミングに応じて所定の制御動作を実行する制御部２０を備えたパワーコンディショナ装置１０であって、制御部への電力供給が遮断されていても、ＣＧＳコントローラ１０５Ａからのリレー制御信号に応じて、交流系統及び制御電源部１１６Ａ間のリレースイッチ１１をＯＮ接続することで、交流系統から制御部への電力供給を開始すると共に、所定の制御動作が完了すると、リレースイッチをＯＦＦ接続することで、交流系統から制御部への電力供給を遮断するものである。【選択図】  図１
2005094836.tif 000002
【特許請求の範囲】
【請求項１】
交流系統と連系接続し、電源部からの電力を前記交流系統に出力する機能を備え、所定タイミングに応じて所定の制御動作を実行する制御手段を有するパワーコンディショナ装置であって、
前記制御手段への電力供給が遮断されていても、前記所定タイミングを検出すると、前記所定の制御動作を実行すべく、前記電源部とは異なる外部電源部から、前記制御手段への電力供給を開始する電力供給制御手段を有することを特徴とするパワーコンディショナ装置。
【請求項２】
前記電力供給制御手段は、
前記制御手段と前記外部電源部との電気接続をＯＮ／ＯＦＦする切替手段を有することを特徴とする請求項１記載のパワーコンディショナ装置。
【請求項３】
前記電力供給制御手段は、
外部コントローラからの前記所定タイミングを検出すると、前記切替手段をＯＮ接続することで、前記外部電源部から前記制御手段への電力供給を開始することを特徴とする請求項２記載のパワーコンディショナ装置。
【請求項４】
前記所定の制御動作は、前記交流系統の電力量を検出する動作であって、
前記電力供給制御手段は、
前記外部電源部から前記制御手段への電力供給を開始後、前記制御手段にて前記交流系統の電力量を検出すると、この電力量が所定電力量未満であるか否かを判定し、この電力量が所定電力量未満であると判定されると、前記外部電源部から前記制御手段への電力供給を遮断することを特徴とする請求項１，２又は３記載のパワーコンディショナ装置。
【発明の詳細な説明】
【技術分野】
【０００１】
本発明は、例えば太陽光発電、水力発電、風力発電、燃料電池発電、ガスコージェネレーション発電やガスタービン発電等のシステムの電源部からの電力を交流系統に出力する機能を備えたパワーコンディショナ装置に関する。
【背景技術】
【０００２】
従来、このようなパワーコンディショナ装置を備えたガスコージェネレーションシステム（以下、単にガスＣＧＳと称する）としては、様々な技術文献が公知である（例えば特許文献１参照）。
【０００３】
図３は従来のパワーコンディショナ装置を備えたガスＣＧＳ内部の概略構成を示すブロック図である。
【０００４】
図３に示すガスＣＧＳ１００は、例えば都市ガスで電力を発電するガスエンジン発電機１０１と、電力会社等の交流系統１０２と、負荷１０３と、ガスエンジン発電機１０１にて発電した電力を整流することで直流電力を生成する整流器１０４と、この整流器１０４にて生成した直流電力を交流電力に変換し、この変換した交流電力を負荷１０３に供給するパワーコンディショナ装置１１０と、このガスＣＧＳ１００全体を制御するＣＧＳコントローラ１０５とを有している。
【０００５】
パワーコンディショナ装置１１０は、整流器１０４にて生成した直流電力のノイズ成分を除去するフィルタ処理を施すＤＣフィルタ１１１と、このＤＣフィルタ１１１にてフィルタ処理を施された直流電力を昇圧するコンバータ部１１２と、このコンバータ部１１２にて昇圧された直流電力を交流電力に変換するインバータ部１１３と、このインバータ部１１３で変換された交流電力に交流フィルタ処理を施し、この交流電力を負荷１０３に供給するＡＣフィルタ１１４と、このパワーコンディショナ装置１１０全体を制御する制御部１１５と、この制御部１１５に電力を供給する制御電源部１１６とを有している。
【０００６】
制御部１１５は、ＲＳ４８５等の通信線１０６を通じてＣＧＳコントローラ１０５と通信接続すると共に、第１Ｉ／Ｆ部１１７を通じて交流系統１０２との系統連系点の電流の大きさと向きを検出し、さらに、第２Ｉ／Ｆ部１１８を通じて交流系統１０２の系統電圧を検出することで、これら電流及び電圧に基づいて交流系統１０２の電力量を算出するものである。
【０００７】
制御電源部１１６は、コンバータ部１１２を通じて、ガスエンジン発電機１０１からの直流電力を受け、この直流電力を制御部１１５に電力供給するものである。
【０００８】
図４は制御部１１５内部の概略構成を示すブロック図である。
【０００９】
図４に示す制御部１１５は、交流系統１０２の電流を検出する系統電流／電圧検出回路１２１と、地絡電流を検出する地絡電流検出回路１２２と、インバータ部１１３の入力電流を検出するＩＮＶ入力電流検出回路１２３と、インバータ部１１３の出力電流を検出するＩＮＶ出力電流検出回路１２４と、インバータ部１１３の入力電圧を検出するＩＮＶ入力電圧検出回路１２５と、インバータ部１１３の出力電圧を検出するＩＮＶ出力電圧検出回路１２６と、コンバータ部１１２を制御するＤＣ／ＤＣ制御回路１２７と、インバータ部１１３を制御するＩＮＶ制御回路１２８と、この制御部１１５全体を制御するＣＰＵ１２９とを有している。
【００１０】
ＣＰＵ１２９は、系統電流/電圧検出回路１２１、地絡電流検出回路１２２、ＩＮＶ入力電流検出回路１２３、ＩＮＶ出力電流検出回路１２４、ＩＮＶ入力電圧検出回路１２５及びＩＮＶ出力電圧検出回路１２６等の検出結果に基づいて、ＤＣ／ＤＣ制御回路１２７及びＩＮＶ制御回路１２８を制御するものである。
【００１１】
ＣＰＵ１２９は、系統電流/電圧検出回路１２１にて交流系統１０２の電流及び電圧を検出すると、これら交流系統１０２の電流及び電圧に基づいて交流系統１０２の電力量、すなわち負荷１０３の消費電力量を算出するものである。
【００１２】
このように従来のガスＧＣＳ１００によれば、パワーコンディショナ装置１１０を通じて、ガスエンジン発電機１０１にて発電した電力を交流電力に変換し、この変換した交流電力を負荷１０３に供給するようにしたので、交流系統１０２だけでなく、ガスエンジン発電機１０１にて発電した電力を負荷１０３に提供することができる。
【００１３】
尚、ガスＧＣＳ１００が運転停止中の場合、ＣＧＳコントローラ１０５は交流系統１０２からの電力供給を受けＯＮ状態としているものの、パワーコンディショナ装置１１０はＯＦＦ状態としている。
【００１４】
しかしながら、パワーコンディショナ装置１１０は、装置自体がＯＦＦ状態であっても、ＣＧＳコントローラ１０５からの指令を受け付ける必要があるために、その制御部１１５はＯＮ状態にしておく必要がある。
【００１５】
そこで、制御部１１５は、ガスエンジン発電機１０１をＯＮ状態にしておくことで、制御電源部１１６を通じて、このガスエンジン発電機１０１からの電力供給を受け、常時、ＯＮ状態としている。
【００１６】
また、制御部１１５では、系統電流/電圧検出回路１２１、地絡電流検出回路１２２、ＩＮＶ入力電流検出回路１２３、ＩＮＶ出力電流検出回路１２４、ＩＮＶ入力電圧検出回路１２５及びＩＮＶ出力電圧検出回路１２６等の検出回路で約７．５Ｗを消費し、ＣＰＵ１２９で約０．８Ｗ、電源損失で約２Ｗの電力を消費することになる。
【００１７】
従って、従来のガスＣＧＳ１００に使用されるパワーコンディショナ装置１１０によれば、装置自体がＯＦＦ状態であったとしても、ガスエンジン発電機１０１にて発電した電力を、制御電源部１１６を通じて制御部１１５の電力供給に使用することで、制御部１１５をＯＮ状態にし、ＣＧＳコントローラ１０５からの指令受付を可能とするようにしたが、このＣＧＳコントローラ１０５からの指令を受付可能とするだけのために、ガスエンジン発電機１０１を動作させなければならず、ガスエネルギーの無駄な損失とエンジンの寿命低下につながるといった事態が生じた。
【００１８】
そこで、このような事態に対処すべく、図５に示すガスＣＧＳが案出されている。図５は従来のガスＣＧＳ内部の概略構成を示すブロック図である。尚、図４に示すガスＣＧＳ１００と同一のものには、同一符号を付すことで、その重複する構成及び動作の説明については省略する。
【００１９】
図５に示す従来のガスＣＧＳ１００Ａの制御電源部１１６Ａは、交流系統１０２からの交流電力を整流する整流回路１３１と、この整流回路１３１にて得た直流電力を制御電源部１１６Ａに供給する逆流防止用第１ダイオード１３２と、コンバータ部１１２からの直流電力を制御電源部１１６Ａに供給する逆流防止用第２ダイオード１３３とを有し、ガスエンジン発電機１０１が発電している場合にはコンバータ部１１２からの直流電力を制御部１１５への電力供給に使用し、ガスエンジン発電機１０１が発電していない場合には交流系統１０２からの交流電力を制御部１１５への電力供給に使用するものである。
【００２０】
このガスＣＧＳ１００Ａが運転停止中の場合、ＣＧＳコントローラ１０５はＯＮ状態であるものの、パワーコンディショナ装置１１０Ａ及びガスエンジン発電機１０１はＯＦＦ状態となる。
【００２１】
パワーコンディショナ装置１１０Ａの制御部１１５Ａは、装置自体がＯＦＦ状態であるものの、交流系統１０２からの電力供給を受けることになる。
【００２２】
このように従来のガスＣＧＳ１００Ａによれば、パワーコンディショナ装置１１０ＡがＯＦＦ状態であっても、ガスエンジン発電機１０１ではなく、交流系統１０２から制御部１１５Ａへの電力供給を受けるようにしたので、ガスエネルギーの無駄な損失を防止し、ひいては、エンジンの寿命低下を確実に低減することができる。
【特許文献１】特許第３０２６０１３号公報（課題を解決するための手段及び図１参照）
【発明の開示】
【発明が解決しようとする課題】
【００２３】
しかしながら、上記従来のパワーコンディショナ装置１１０Ａによれば、装置自体がＯＦＦ状態であっても、交流系統１０２若しくはガスエンジン発電機１０１から制御部１１５Ａに電力を常時供給することで、この制御部１１５Ａを常時ＯＮ状態にし、ＣＧＳコントローラ１０５からの指令受付を可能な状態にしたが、ＣＧＳコントローラ１０５からの指令受付待ちの状態、すなわち待機時でも、制御部１１５Ａは常時電力が供給されているため、待機時における制御部１１５Ａへの電力供給が無駄となる。
【００２４】
本発明は上記点に鑑みてなされたものであり、その目的とするところは、待機時における制御部の電力消費量を大幅に軽減したパワーコンディショナ装置を提供することにある。
【課題を解決するための手段】
【００２５】
上記目的を達成するために本発明のパワーコンディショナ装置は、交流系統と連系接続し、電源部からの電力を前記交流系統に出力する機能を備え、所定タイミングに応じて所定の制御動作を実行する制御手段を有するパワーコンディショナ装置であって、前記制御手段への電力供給が遮断されていても、前記所定タイミングを検出すると、前記所定の制御動作を実行すべく、前記電源部とは異なる外部電源部から、前記制御手段への電力供給を開始する電力供給制御手段を有するようにした。
【００２６】
本発明のパワーコンディショナ装置は、前記電力供給制御手段が、前記制御手段と前記外部電源部との電気接続をＯＮ／ＯＦＦする切替手段を有するようにした。
【００２７】
本発明のパワーコンディショナ装置は、前記電力供給制御手段が、外部コントローラからの前記所定タイミングを検出すると、前記切替手段をＯＮ接続することで、前記外部電源部から前記制御手段への電力供給を開始するようにした。
【００２８】
本発明のパワーコンディショナ装置は、前記所定の制御動作が前記交流系統の電力量を検出する動作であって、前記電力供給制御手段は、前記外部電源部から前記制御手段への電力供給を開始後、前記制御手段にて前記交流系統の電力量を検出すると、この電力量が所定電力量未満であるか否かを判定し、この電力量が所定電力量未満であると判定されると、前記外部電源部から前記制御手段への電力供給を遮断するようにした。
【発明の効果】
【００２９】
上記のように構成された本発明のパワーコンディショナ装置によれば、前記制御手段への電力供給が遮断されていても、前記所定タイミングを検出すると、前記所定の制御動作を実行すべく、前記電源部とは異なる外部電源部から、前記制御手段への電力供給を開始するようにしたので、制御手段への電力供給が遮断中であっても、所定の制御動作を実行することができ、しかも、待機時における制御手段の無駄な電力消費を大幅に軽減することができる。
【００３０】
本発明のパワーコンディショナ装置によれば、制御手段と前記外部電源部との電気接続をＯＮ／ＯＦＦする切替手段を有し、この切替手段のＯＮ動作で、外部電源部から制御手段への電力供給を開始することができる。
【００３１】
本発明のパワーコンディショナ装置によれば、外部コントローラからの前記所定タイミングを検出すると、前記切替手段をＯＮ接続することで、前記外部電源部から前記制御手段への電力供給を開始するようにしたので、制御手段への電力供給が遮断中であっても、所定の制御動作を実行することができ、しかも、待機時における制御手段の無駄な電力消費を大幅に軽減することができる。
【００３２】
本発明のパワーコンディショナ装置によれば、前記外部電源部から前記制御手段への電力供給を開始後、前記制御手段にて前記交流系統の電力量を検出すると、この電力量が所定電力量（例えば電源部の定格発電電力量）未満であるか否かを判定し、この電力量が所定電力量未満であると判定されると、前記外部電源部から前記制御手段への電力供給を遮断するようにしたので、例えば交流系統の電力量、すなわち負荷の電力消費量が電源部の定格発電電力量に満たない場合、電源部の発電効率が極端に低下してしまうようなパワーコンディショナ装置の運転動作を回避することができる。
【発明を実施するための最良の形態】
【００３３】
以下、図面に基づいて本発明のパワーコンディショナ装置における実施の形態を示すガスＣＧＳについて説明する。図１は本実施の形態を示すガスＣＧＳ内部の概略構成を示すブロック図である。尚、図５に示すガスＣＧＳ１００Ａと同一のものには同一符号を付すことで、その重複する構成及び動作の説明については省略する。
【００３４】
図１に示すガスＣＧＳ１と図５に示すガスＣＧＳ１００Ａとが異なるところは、交流系統１０２及び制御電源部１１６Ａ間の部位、すなわち整流回路１３１及び交流系統１０２間にリレースイッチ１１を配置し、ＣＧＳコントローラ１０５Ａからのリレー制御信号に応じて、このリレースイッチ１１をＯＮ・ＯＦＦ制御できるようにした点にある。
【００３５】
ガスＣＧＳ１が運転停止中の場合、ＣＧＳコントローラ１０５Ａは交流系統１０２からの電力供給を受けてＯＮ状態であるものの、パワーコンディショナ装置１０及びガスエンジン発電機１０１はＯＦＦ状態となる。
【００３６】
ＣＧＳコントローラ１０５Ａは、ガスＣＧＳ１が運転停止中に、所定タイミングが発生すると、ＯＮ制御のリレー制御信号をリレースイッチ１１に伝送するものである。
【００３７】
また、リレースイッチ１１は、ＯＮ制御のリレー制御信号を検出すると、交流系統１０２と整流回路１３１とをＯＮ接続するものである。
【００３８】
さらに制御電源部１１６Ａは、リレースイッチ１１がＯＮ接続することで、交流系統１０２からの交流電力を整流回路１３１及び逆流防止用第１ダイオード１３２を通じて直流電力に変換し、この直流電力を制御部２０に供給するものである。
【００３９】
制御部２０は、制御電源部１１６Ａからの直流電力の供給を受けると、複数の検出回路の内、系統電流/電圧検出回路１２１及びＣＰＵ１２９のみをＯＮ状態にし、所定の制御動作を実行した後、この実行結果をＣＧＳコントローラ１０５Ａに通知するものである。
【００４０】
ＣＧＳコントローラ１０５Ａは、制御部２０からの実行結果を検出すると、ＯＦＦ制御のリレー制御信号をリレースイッチ１１に伝送し、リレースイッチ１１をＯＦＦ接続することで、交流系統１０２及び制御部２０間の電力供給を遮断するものである。
【００４１】
尚、請求項記載の制御手段は制御部２０、電源部はガスエンジン発電機１０１、外部電源部は交流系統１０２、電力供給制御手段はリレースイッチ１１、ＣＧＳコントローラ１０５Ａ、切替手段はリレースイッチ１１に相当するものである。
【００４２】
次に本実施の形態を示すガスＣＧＳ１の動作について説明する。図２は本実施の形態の起動条件監視処理に関わるＣＧＳコントローラ１０５Ａの処理動作を示すフローチャートである。
【００４３】
図２に示す起動条件監視処理は、ガスＣＧＳ運転停止中に、所定タイミング（例えば１０分）毎に、このパワーコンディショナ装置１０が起動可能な条件にあるか否かを判定する処理である。
【００４４】
図２においてＣＧＳコントローラ１０５Ａは、所定タイミングが発生したか否かを判定する(ステップＳ１１)。尚、所定タイミングとは、例えばパワーコンディショナ装置１が起動可能な条件にあるか否かを定期的に監視するタイミングに相当するものである。
【００４５】
ＣＧＳコントローラ１０５Ａは、所定タイミングが発生したと判定されると、リレースイッチ１１をＯＮ制御すべく、リレー制御信号をリレースイッチ１１に伝送する(ステップＳ１２)。尚、制御電源部１１６Ａは、リレースイッチ１１がＯＮ接続することで、交流系統１０２から制御部２０への電力供給が開始することになる。
【００４６】
また、制御電源部１１６Ａは、交流系統１０２から制御部２０への電力供給を開始することで、制御部２０内の複数の検出回路の内、ＣＰＵ１２９及び系統電流/電圧検出回路１２１のみをＯＮ状態とするものである。
【００４７】
ＣＧＳコントローラ１０５Ａは、起動完了タイマをスタートし(ステップＳ１３)、この起動完了タイマがタイムアップしたか否かを判定する(ステップＳ１４)。尚、起動完了タイマは、制御部２０への電力供給開始から、制御部２０がＯＮ状態に移行するまでの時間を計時するものである。
【００４８】
ＣＧＳコントローラ１０５Ａは、起動完了タイマがタイムアップしたのであれば、制御部２０がＯＮ状態に移行したものと判断し、起動条件の要素である交流系統１０２の電力量を測定する電力量測定処理を実行する（ステップＳ１５）。尚、この電力量測定処理とは、系統電流／電圧検出回路１２１を通じて交流系統１０２の電流及び電圧を検出し、これら交流系統１０２の電流及び電圧に基づいて交流系統１０２の電力量を制御部２０のＣＰＵ１２９に算出させ、この算出した交流系統１０２の電力量をＣＧＳコントローラ１０５Ａに通知するものである。
【００４９】
ＣＧＳコントローラ１０５Ａは、制御部２０のＣＰＵ１２９から交流系統１０２の電力量を受信すると、この電力量が規定電力量未満であるか否かを判定する(ステップＳ１６)。
【００５０】
尚、規定電力量は、ガスエンジン発電機１０１の定格の発電電力量に相当している。一般的にガスＣＧＳ１ではガスエンジン発電機１０１による交流系統１０２への逆潮流を許容していないため、交流系統１０２の電力量、すなわち負荷１０３の消費電力量が定格の発電電力量未満となると、ガスエンジン発電機１０１が定格で発電することができないため、そのガスエンジン発電機１０１の発電効率が著しく低下してしまう。そこで、このようなガスエンジン発電機１０１の発電効率が著しく低下してしまう事態を確実に防止するために、負荷１０３の消費電力量、すなわち交流系統１０２の電力量が規定電力量未満であるか否かを判定するものである。
【００５１】
ＣＧＳコントローラ１０５Ａは、ステップＳ１６にて電力量が規定電力量未満でないと判定されると、パワーコンディショナ装置１０の起動条件が満たされたものと判断する(ステップＳ１７)。尚、ＣＧＳコントローラ１０５Ａは、パワーコンディショナ装置１０の起動条件が満たされているものと判断すると、パワーコンディショナ装置１０が起動可能な状態と判断できることになる。
【００５２】
さらにＣＧＳコントローラ１０５Ａは、ステップＳ１７にてパワーコンディショナ装置１０の起動条件が満たされているものと判断されると、リレースイッチ１１をＯＦＦ制御すべく、リレー制御信号をリレースイッチ１１に伝送し（ステップＳ１８）、この処理動作を終了する。
【００５３】
尚、制御電源部１１６Ａは、リレースイッチ１１がＯＦＦ接続することで、交流系統１０２から制御部２０への電力供給を遮断するものである。
【００５４】
ＣＧＳコントローラ１０５Ａは、ステップＳ１６にて交流系統１０２の電力量が規定電力量未満であると判定されると、負荷１０３の電力消費量がガスエンジン発電機１０２の定格発電電力量未満のため、ガスエンジン発電機１０１の発電効率が低くなるものと判断し、パワーコンディショナ装置１０の起動条件が満たされていないものと判断し（ステップＳ１９）、リレースイッチ１１をＯＦＦ制御すべく、ステップＳ１８に移行する。
【００５５】
本実施の形態によれば、パワーコンディショナ装置１０内部の制御部２０への電力供給が遮断されていても、ＣＧＳコントローラ１０５Ａからのリレー制御信号に応じて、交流系統１０２及び制御電源部１１６Ａ間のリレースイッチ１１をＯＮ接続することで、交流系統１０２から制御部２０への電力供給を開始するようにしたので、制御部２０への電力供給が遮断中であっても、例えばパワーコンディショナ装置１０の起動条件を定期的に認識することができる。
【００５６】
さらに、本実施の形態によれば、ＣＧＳコントローラ１０５Ａからのリレー制御信号に応じて交流系統１０２及び制御電源部１１６Ａ間のリレースイッチ１１をＯＮ接続して、交流系統１０２から制御部２０への電力供給を開始後、所定の制御動作が完了すると、すなわちパワーコンディショナ装置１０の起動条件が認識されると、交流系統１０２及び制御電源部１１６Ａ間のリレースイッチ１１をＯＦＦ接続することで、交流系統１０２から制御部２０への電力供給を遮断するようにしたので、待機時における制御部２０の無駄な電力消費を大幅に軽減することができる。
【００５７】
さらに、本実施の形態によれば、ＣＧＳコントローラ１０５Ａからのリレー制御信号に応じて交流系統１０２及び制御電源部１１６Ａ間のリレースイッチ１１をＯＮ接続することで、交流系統１０２から制御部２０への電力供給を開始後、交流系統１０２の電力量が規定電力量未満であると判定されると、パワーコンディショナ装置１０の起動条件が満たされていないものと判断し、交流系統１０２の電力量が規定電力量未満でないと判定されると、パワーコンディショナ装置１０の起動条件が満たしたものと判断するようにしたので、ガスエンジン発電機１０１の発電効率が著しく低下してしまうようなパワーコンディショナ装置１０の運転を確実に防止することができる。
【００５８】
本実施の形態によれば、ＣＧＳコントローラ１０５Ａからのリレー制御信号に応じて交流系統１０２及び制御電源部１１６Ａ間のリレースイッチ１１をＯＮ接続することで、交流系統１０２から制御部２０への電力供給を開始するようにしたが、この電力供給は制御部２０全体ではなく、この制御部２０内部のＣＰＵ１２９と一部の検出回路に限られているため、その制御部２０の消費電力量も大幅に低減することができる。
【００５９】
尚、上記実施の形態においては、所定タイミング毎、すなわち定期的、例えば１０分毎にパワーコンディショナ装置１０の制御部２０に交流系統１０２からの電力供給を開始するようにしたが、所定タイミングはパワーコンディショナ装置１０の電源起動時や様々なタイミング発生時等であっても良いことは言うまでもない。
【００６０】
また、上記実施の形態においては、所定タイミング毎にパワーコンディショナ装置１０の起動条件がＯＫであるか否かを認識するようにしたが、例えばパワーコンディショナ装置１０の起動条件がＯＫであると認識されると、自動的にパワーコンディショナ装置１０を起動させるようにしても良い。
【００６１】
また、上記実施の形態においては、所定タイミング毎に交流系統１０２から制御部２０への電力供給を受け、パワーコンディショナ装置１０の起動条件がＯＫであるか否かを認識する所定の制御動作を実行するようにしたが、所定の制御動作として、例えば制御部２０のＣＰＵ１２９に格納したパワーコンディショナ装置１０に関わる情報をＣＧＳコントローラ１０５Ａに通知するようにしても良い。
【００６２】
また、上記実施の形態においては、交流系統１０２からの電力を制御部２０に供給するようにしたが、交流系統１０２やガスエンジン発電機１０１ではなく、例えば外部電池を設け、この外部電池からの電力を制御部２０に供給するようにしても、同様の効果が得られることは言うまでもない。
【００６３】
また、上記実施の形態においては、ＣＧＳコントローラ１０５Ａからのリレー制御信号に応じてリレースイッチ１１をＯＮ／ＯＦＦ制御するようにしたが、制御部２０とは異なる監視制御部を設け、この監視制御部が、ＣＧＳコントローラ１０５Ａからの指令に応じて、リレースイッチ１１をＯＮ／ＯＦＦ制御するような構成としても同様の効果が得られることは言うまでもない。
【００６４】
また、上記実施の形態においては、ガスＣＧＳ１を例にあげて説明したが、例えば太陽光発電、水力発電、風力発電、燃料電池発電、ガスタービン発電等のシステムであっても、同様の効果が得られることは言うまでもない。
【産業上の利用可能性】
【００６５】
本発明のパワーコンディショナ装置は、制御手段への電力供給が遮断中であっても、電源部とは異なる外部電源部から制御手段への電力供給を開始することで、制御手段による所定の制御動作を実行することができ、しかも、待機時における制御手段の無駄な電力消費を大幅に軽減することができるため、ガスＣＧＳだけでなく、太陽光発電、水力発電、風力発電、燃料電池発電、ガスタービン発電等のシステムにも有用である。
【図面の簡単な説明】
【００６６】
【図１】本発明のパワーコンディショナ装置における実施の形態を示すガスＣＧＳ内部の概略構成を示すブロック図である。
【図２】本実施の形態に関わるパワーコンディショナ装置の起動条件監視処理に関わるＣＧＳコントローラ内部の処理動作を示すフローチャートである。
【図３】従来のガスＧＣＳ内部の概略構成を示すブロック図である。
【図４】従来のガスＣＧＳ内部のパワーコンディショナ装置内の制御部内部の概略構成を示すブロック図である。
【図５】従来のガスＧＣＳ内部の概略構成を示すブロック図である。
【符号の説明】
【００６７】
１０  パワーコンディショナ装置
１１  リレースイッチ（切替手段、電力制御手段）
２０  制御部（制御手段）
１０１  ガスエンジン発電機（電源部）
１０２  交流系統（外部電源部）
１０５Ａ  ＣＧＳコントローラ（電力制御手段）
【図１】
2005094836.tif 000003
【図２】
2005094836.tif 000004
【図３】
2005094836.tif 000005
【図４】
2005094836.tif 000006
【図５】
2005094836.tif 000007